(57)【要約】【課題】              医療用容器等の開口部をゴム栓のような弾力性に富んだキャップで強固に密封する場合には、キャップの着脱に強力な着脱力が必要であり、また、ねじ込み式のキャップでは、ねじ込み又はねじ戻し操作が必要であり、いずれも容易にワンタッチでキャップを着脱して簡単且つ確実に密封して使用することは困難である。【解決手段】          先端部に開口部２を後端部に嵌合溝部３を有する開口首部材１に対して、中間スカート部１３と、前記嵌合溝部３に嵌合する嵌合突起部１４と、前記中間スカート部外周のスライド溝部１５と、嵌合突起部外周の押当部１６とからなる内栓キャップ１０を設けると共に、先端部位置Ａと後端部位置Ｂの間をスライドするスライダ部２１と、後端部位置で前記押当部１６の外周に当接する押さえ突起部２２とからなる外キャップ２０を設けてなる着脱自在キャップ装置。【選択図】            図１
2010095259.tif 000002
【特許請求の範囲】
【請求項１】
先端部に開口部を有すると共に後端部に嵌合溝部を有する開口首部材に対して、前記開口部に嵌合する内栓部と、開口部と嵌合溝部との中間外周部を覆う中間スカート部と、中間スカート部の末端部に前記嵌合溝部に嵌合するように設けた嵌合突起部と、前記中間スカート部の外周に設けたスライド溝部と、嵌合突起部の外周に設けた押当部とからなる内栓キャップを設けると共に、内栓キャップの中間スカート部の外周を覆う、スライダ溝部に嵌合して案内され先端部位置と後端部位置の間をスライドするスライダ部と、先端部位置でスライダ溝部に嵌合し後端部位置で前記押当部の外周に当接する押さえ突起部とからなる外キャップを設けてなる着脱自在キャップ装置。
【請求項２】
請求項１に記載の着脱自在キャップ装置において、外キャップの天板部が内栓キャップの内栓部を覆ってなる着脱自在キャップ装置。
【請求項３】
請求項１又は２に記載の着脱自在キャップ装置において、内栓キャップの内栓部とスライダ溝部との間に、外キャップのスライダ部がスライダ溝部に嵌入する方向に乗り越え可能な傾斜面部とスライダ溝部からの離脱を阻止するストッパ部とを有するストッパ段部を設けてなる着脱自在キャップ装置。
【請求項４】
先端部に開口部を有すると共に後端部に嵌合溝部を有する開口首部材に対して、前記開口部に嵌合する内栓部と、開口部と嵌合溝部との中間外周部を覆う中間スカート部と、中間スカート部の末端部に前記嵌合溝部に嵌合するように設けた嵌合突起部と、前記中間スカート部の外周に設けたスライド溝部と、嵌合突起部の外周に設けた押当部と、内栓部に突出して設けた首長栓部とからなる内栓キャップを設けると共に、内栓キャップの中間スカート部の外周を覆う、前記首長栓部に嵌合して案内され先端部位置と後端部位置の間をスライドするスライダ部と、先端部位置でスライダ溝部に嵌合し後端部位置で前記押当部の外周に当接する押さえ突起部とからなる外キャップを設けてなる着脱自在キャップ装置。
【請求項５】
請求項４に記載の着脱自在キャップ装置において、外キャップに着脱操作部を設けてなる着脱自在キャップ装置。
【請求項６】
請求項１乃至５のいずれかに記載の着脱自在キャップ装置において、嵌合突起部に弾性変形用の割り溝部を設けてなる着脱自在キャップ装置。
【請求項７】
請求項１乃至６のいずれかに記載の着脱自在キャップ装置において、外キャップと内栓キャップとの間に、外キャップを先端部位置に係止するストッパ段部を設けてなる着脱自在キャップ装置。
【発明の詳細な説明】
【技術分野】
【０００１】
本発明は、容器等の着脱自在キャップ装置に関する。
【背景技術】
【０００２】
従来、医療用容器等の開口部を確実に密封するためには、ゴム栓のような弾力性に富んだキャップや、ねじ込み式のキャップが賞用されてきた。
【発明の開示】
【発明が解決しようとする課題】
【０００３】
医療用容器等の開口部をゴム栓のような弾力性に富んだキャップで強固に密封する場合には、キャップの着脱に強力な着脱力が必要で、容易にワンタッチでキャップを着脱して簡単に使用することは困難である。
【０００４】
また、ねじ込み式のキャップでは、ねじ込み又はねじ戻し操作が必要で、容器開口部からキャップを着脱するのに相当の手間が掛かることになる。
【課題を解決するための手段】
【０００５】
そこで、本発明は、請求項１に記載のように、先端部に開口部を有すると共に後端部に嵌合溝部を有する開口首部材に対して、前記開口部に嵌合する内栓部と、開口部と嵌合溝部との中間外周部を覆う中間スカート部と、中間スカート部の末端部に前記嵌合溝部に嵌合するように設けた嵌合突起部と、前記中間スカート部の外周に設けたスライド溝部と、嵌合突起部の外周に設けた押当部とからなる内栓キャップを設けると共に、内栓キャップの中間スカート部の外周を覆う、スライダ溝部に嵌合して案内され先端部位置と後端部位置の間をスライドするスライダ部と、先端部位置でスライダ溝部に嵌合し後端部位置で前記押当部の外周に当接する押さえ突起部とからなる外キャップを設けてなる着脱自在キャップ装置を提供しようとするものである。
【０００６】
また、本発明は、請求項２に記載のように、請求項１に記載の着脱自在キャップ装置において、外キャップの天板部が内栓キャップの内栓部を覆ってなる着脱自在キャップ装置を提供しようとするものである。
【０００７】
また、本発明は、請求項３に記載のように、請求項１又は２に記載の着脱自在キャップ装置において、内栓キャップの内栓部とスライダ溝部との間に、外キャップのスライダ部がスライダ溝部に嵌入する方向に乗り越え可能な傾斜面部とスライダ溝部からの離脱を阻止するストッパ部とを有するストッパ段部を設けてなる着脱自在キャップ装置を提供しようとするものである。
【０００８】
また、本発明は、請求項４に記載のように、先端部に開口部を有すると共に後端部に嵌合溝部を有する開口首部材に対して、前記開口部に嵌合する内栓部と、開口部と嵌合溝部との中間外周部を覆う中間スカート部と、中間スカート部の末端部に前記嵌合溝部に嵌合するように設けた嵌合突起部と、前記中間スカート部の外周に設けたスライド溝部と、嵌合突起部の外周に設けた押当部と、内栓部に突出して設けた首長栓部とからなる内栓キャップを設けると共に、内栓キャップの中間スカート部の外周を覆う、前記首長栓部に嵌合して案内され先端部位置と後端部位置の間をスライドするスライダ部と、先端部位置でスライダ溝部に嵌合し後端部位置で前記押当部の外周に当接する押さえ突起部とからなる外キャップを設けてなる着脱自在キャップ装置を提供しようとするものである。
【０００９】
また、本発明は、請求項５に記載のように、請求項４に記載の着脱自在キャップ装置において、外キャップに着脱操作部を設けてなる着脱自在キャップ装置を提供しようとするものである。
【００１０】
また、本発明は、請求項６に記載のように、請求項１乃至５のいずれかに記載の着脱自在キャップ装置において、嵌合突起部に弾性変形用の割り溝部を設けてなる着脱自在キャップ装置を提供しようとするものである。
【００１１】
また、本発明は、請求項７に記載のように、請求項１乃至６のいずれかに記載の着脱自在キャップ装置において、外キャップと内栓キャップとの間に、外キャップを先端部位置に係止するストッパ段部を設けてなる着脱自在キャップ装置を提供しようとするものである。
【発明の効果】
【００１２】
本発明に係る着脱自在キャップ装置によれば、請求項１に記載のように、先端部に開口部を有すると共に後端部に嵌合溝部を有する開口首部材に対して、前記開口部に嵌合する内栓部と、開口部と嵌合溝部との中間外周部を覆う中間スカート部と、中間スカート部の末端部に前記嵌合溝部に嵌合するように設けた嵌合突起部と、前記中間スカート部の外周に設けたスライド溝部と、嵌合突起部の外周に設けた押当部とからなる内栓キャップを設けると共に、内栓キャップの中間スカート部の外周を覆う、スライダ溝部に嵌合して案内され先端部位置と後端部位置の間をスライドするスライダ部と、スライダ部の先端部位置でスライダ溝部の後端部位置に嵌合し後端部位置でスライダ溝部を越えて前記押当部の外周に当接する押さえ突起部とからなる外キャップを設けてなる構成を有することにより、本発明の装置本体の装着状態においては、開口首部材の先端部の開口部に内栓部が嵌合すると共に後端部の嵌合溝部に嵌合突起部が嵌合し、内栓キャップが開口首部材を密封した状態で、外キャップのスライダ部がスライダ溝部の後端部位置において押さえ突起部が前記内栓キャップの嵌合突起部の外周に設けた押当部に当接するから、内栓キャップは開口首部材から離脱を阻止されて強固に確実に嵌合し、装着状態が強固に維持される一方、装置本体を離脱する場合には、外キャップを開口首部材から引き抜く方向に真っ直ぐ引っ張ると、外キャップのスライダ部が内栓キャップのスライダ溝部の後端部位置から先端部位置に向かってそのまま移動し、その移動に伴って押さえ突起部が押当部から外れてスライダ溝部の後端部位置に移動し、嵌合突起部が嵌合溝部から離脱可能な状態になり、引き続き外キャップを引き抜き方向に引っ張ると、スライダ部がスライダ溝部の先端部位置に係止した状態で内栓キャップを一体に開口首部材から引き抜くことができるから、一動作で装置本体を開口首部材から離脱することができる効果がある。
【００１３】
また、このスライダ部がスライダ溝部の先端部位置に係止した装置本体の離脱状態において、前記外キャップの押さえ突起部がスライダ溝部の後端部位置に嵌合して、嵌合突起部が嵌合溝部に嵌合可能な状態であるから、外キャップを開口首部材に向かって押し込む場合には、押さえ突起部がスライダ溝部の後端部位置に係止した状態で内栓キャップを一体に押し込むから、嵌合突起部が嵌合溝部に嵌合する状態になり、内栓キャップは外キャップと一体に押し込まれて開口首部材の開口部に内栓部が密封することとなり、更に外キャップを押し込むことにより押さえ突起部がスライダ溝部の後端部位置を越えて嵌合突起部の外周の押当部に当接して、内栓キャップは開口首部材から離脱を阻止されて強固に確実に嵌合した当初の装着状態が維持されることとなり、本装置本体は簡単にワンタッチで着脱自在になる効果がある。
【００１４】
また、本発明は、請求項２に記載のように、請求項１に記載の着脱自在キャップ装置において、外キャップの天板部が内栓キャップの内栓部を覆ってなる構成を有することにより、内栓キャップを外キャップによって覆って保護することができると共に、外キャップのみによって誤操作なしに内栓キャップを着脱操作することができる効果がある。
【００１５】
また、本発明は、請求項３に記載のように、請求項１又は２に記載の着脱自在キャップ装置において、内栓キャップの内栓部とスライダ溝部との間に、外キャップのスライダ部がスライダ溝部に嵌入する方向に乗り越え可能な傾斜面部とスライダ溝部からの離脱を阻止するストッパ部とを有するストッパ段部を設けてなる構成を有することにより、個別にプラスチック成形加工等により製作した外キャップに内栓キャップを簡単に嵌着することができると共に、一度嵌着すると離脱困難に一体的に組み立てることができる効果がある。
【００１６】
また、本発明は、請求項４に記載のように、先端部に開口部を有すると共に後端部に嵌合溝部を有する開口首部材に対して、前記開口部に嵌合する内栓部と、開口部と嵌合溝部との中間外周部を覆う中間スカート部と、中間スカート部の末端部に前記嵌合溝部に嵌合するように設けた嵌合突起部と、前記中間スカート部の外周に設けたスライド溝部と、嵌合突起部の外周に設けた押当部と、内栓部から突出して先端部位置に係止突起部を有する首長栓部とからなる内栓キャップを設けると共に、内栓キャップの中間スカート部の外周を覆う、前記首長栓部に嵌合して案内され先端部位置と後端部位置の間をスライドするスライダ部と、先端部位置でスライダ溝部の後端部位置に嵌合しスライダ部の後端部位置で前記押当部の外周に当接する押さえ突起部とからなる外キャップを設けてなる構成を有することにより、請求項１に記載したと同様の作用・効果を発揮すると共に、首長栓部によってスライダ部を離脱を阻止して案内し、内栓キャップと外キャップとの一体性を図ることができる効果がある。
【００１７】
また、本発明は、請求項５に記載のように、請求項４に記載の着脱自在キャップ装置において、外キャップに着脱操作部を設けてなる構成を有することにより、着脱操作部によって外キャップの操作を確実にすると共に首長栓部を持って誤操作するのを防止し保護することができる効果がある。
【００１８】
また、本発明は、請求項６に記載のように、請求項１乃至５のいずれかに記載の着脱自在キャップ装置において、嵌合突起部に弾性変形用の割り溝部を設けてなる構成を有することにより、割り溝部によってプラスチック成形加工等により製作された嵌合突起部に豊かな弾性変形を与え、嵌合溝部との円滑な着脱性を得ることができる効果がある。
【００１９】
また、本発明は、請求項７に記載のように、請求項１乃至７のいずれかに記載の着脱自在キャップ装置において、外キャップと内栓キャップとの間に、外キャップを先端部位置に係止するストッパ段部を設けてなる構成を有することにより、外キャップが先端部位置にストッパ段部によって内栓キャップに係止されているから、外キャップを把持して内栓キャップを開口首部材から確実に取り外すことができる効果がある。
【発明を実施するための最良の形態】
【００２０】
以下図示する実施例により本発明に係る着脱自在キャップ装置を説明する。
【実施例１】
【００２１】
図１乃至図４に記載の本発明に係る医療用容器等の着脱自在キャップ装置の実施例１は、先端部に開口部２を有すると共に後端部に嵌合溝部３を有する開口首部材１に対して、前記開口部２の内筒部５と外筒部６に二重に嵌合する内栓部１１，１２と、前記開口部２と嵌合溝部３との中間外周部４を図３又は図４に記載の如く隙間Ｃを介して覆う中間スカート部１３と、該中間スカート部１３の末端部に連続して前記嵌合溝部３に嵌合するように設けた嵌合突起部１４と、前記中間スカート部１３の外周に設けたスライド溝部１５と、嵌合突起部１４の外周に設けた押当部１６とからなる内栓キャップ１０を設けると共に、内栓キャップ１０の中間スカート部１３の外周を覆う、スライダ溝部１５に嵌合して案内され該溝部１５の先端部位置Ａと後端部位置Ｂの間をスライドするスライダ部２１と、スライダ部２１の先端部位置Ａでスライダ溝部１５の後端部位置Ｂに嵌合し後端部位置でスライダ溝部１５を乗り越えて前記押当部１６の外周に当接する押さえ突起部２２とからなる外キャップ２０を設けてなる構成を有する。
【００２２】
スライダ溝部１５の後端部位置Ｂと押当部１６との間には乗り越え突起１８が突設してあり、開口首部材１に内栓キャップ１０を装着するときに、図２に記載の如く、嵌合突起部１４が外方に撓んで押さえ突起部２２がスライダ溝部１５を越えて乗り越え突起１８を簡単に乗り越えることができないように構成してあり、図３に記載の如く、嵌合突起部１４が嵌合溝部３に嵌合して更に外キャップ２０に押し込み力を加えることによって、押さえ突起部２２が乗り越え突起部１８を乗り越えて前記押当部１６の外周に当接するように構成してある。
【００２３】
前記嵌合突起部１４には、開口首部材１の中間外周部４に当接して外側に撓むように弾性変形用の割り溝部を縦方向に複数本設けてあり、この割り溝部によってプラスチック成形加工等により弾性変形可能に製作された嵌合突起部１４に豊かな弾性変形性を与え、嵌合溝部３との円滑な着脱性を得ることができる。なお、割り溝部に代えて嵌合突起部１４の素材に拡張及び収縮する柔軟な弾性変形性を持たせて、開口首部材１の中間外周部４に当接して外側に撓むように構成することも勿論可能である。
【００２４】
また、図４に記載の如く、外キャップ２０のスライダ部２１がスライダ溝部１５の後端部位置Ｂに嵌合し押さえ突起部２２が押当部１６に当接する状態で、スライダ部２１と押さえ突起部２２との間の凹溝部２４がスライダ溝部１５の後端部位置Ｂと押当部１６との間の乗り越え部１８に密着して嵌合するように構成してあり、内栓キャップ１０に外キャップ２０が確実に嵌着しその嵌着状態を確実に維持するように構成してある。
【００２５】
このことにより、図４に記載のように、本発明の装置本体４０の装着状態においては、開口首部材１の先端部の開口部２に内栓部１１，１２が嵌合すると共に後端部の嵌合溝部３に嵌合突起部１４が嵌合し、内栓キャップ１０が開口首部材１を密封した状態で、外キャップ２０のスライダ部２１がスライダ溝部１５の後端部位置Ｂに位置して押さえ突起部２２が前記内栓キャップ１０の嵌合突起部１４の外周に設けた押当部１６に当接するから、内栓キャップ１０は開口首部材１から離脱を阻止されて強固に確実に嵌合し、装着状態が強固に維持される。
【００２６】
このとき、嵌合溝部３の嵌入側の傾斜面７に嵌合突起部１４が、中間外周部４に隙間Ｃを保って当接する引き付け力によって開口部２に対する内栓部１１，１２の密封状態を強固に維持することができる。
【００２７】
一方、装置本体４０を離脱する場合には、外キャップ２０を開口首部材１から引き抜く方向に真っ直ぐ引っ張ると、第３図に記載のように、外キャップ２０のスライダ部２１が内栓キャップ１０のスライダ溝部１５の後端部位置Ｂから先端部位置Ａに向かってそのまま移動し、その移動に伴って押さえ突起部２２が押当部１６から外れてスライダ溝部１５の後端部位置Ｂに移動し、嵌合突起部１４が嵌合溝部３から離脱可能な状態になり、引き続き外キャップ２０を引き抜き方向に引っ張ると、スライダ部２１がスライダ溝部１５の先端部位置Ａに係止した状態で内栓キャップ１０を一体に開口首部材１から引き抜くことができるから、一動作で装置本体４０を開口首部材１から離脱することができ、通常のキャップ装置は勿論、人工腎臓等の医療用容器等のワンタッチ着脱自在キャップ装置に使用して便利である。
【００２８】
また、実施例１の本発明着脱自在キャップ装置は、内栓キャップ１０の内栓部１２とスライダ溝部１５との間に、外キャップ２０のスライダ部２１がスライダ溝部１５に嵌入する方向に乗り越え可能な傾斜面部１７ａとスライダ溝部１５からの離脱を阻止するストッパ部１７ｂとを有するストッパ段部１７を設けてなる構成を有することにより、個別にプラスチック成形加工等により製作した外キャップ２０に内栓キャップ１０を簡単に嵌着することができると共に、一度嵌着すると離脱困難に一体的に組み立てることができる。
【００２９】
また、このスライダ部２１がスライダ溝部１５の先端部位置Ａに係止した装置本体４０の離脱状態において、前記外キャップ２０の押さえ突起部２２がスライダ溝部１５の後端部位置Ｂに嵌合して、嵌合突起部１４が嵌合溝部３に嵌合可能な状態であるから、外キャップ２０を開口首部材１に向かって押し込む場合には、押さえ突起部２２がスライダ溝部１５の後端部位置Ｂに係止した状態で内栓キャップ１０を一体に押し込むから、嵌合突起部１４が嵌合溝部３に嵌合する状態になり、内栓キャップ１０は外キャップ２０と一体に押し込まれて開口首部材１の開口部２を内栓部１１，１２が密封することとなり、更に外キャップ２０を押し込むことにより押さえ突起部２２がスライダ溝部１５の後端部位置Ｂを越えて嵌合突起部１４の外周の押当部１６に当接して、内栓キャップ１０は開口首部材１から離脱を阻止されて強固に確実に嵌合した当初の装着状態が維持されることとなり、本装置本体は簡単にワンタッチで着脱自在になる。
【００３０】
また、実施例１の本発明着脱自在キャップ装置は、外キャップ２０の天板部２３が内栓キャップ１０の内栓部１１，１２を覆ってなる構成を有することにより、内栓キャップ１０を外キャップ２０によって覆って保護することができると共に、外キャップ２０のみによって誤操作なしに内栓キャップ１０を着脱操作することができる。
【００３１】
次に、開口首部材１の嵌合溝部３は、全周に渡って連続的に設けることが好ましい。この場合は、内栓キャップ１０の嵌合突起部１４は全周的に設けることも部分的に設けることもできる。特に、開口首部材１の外周横断面が円形の場合には、内栓キャップ１０の嵌合突起部１４は断面円形の嵌合溝部３に沿って回転可能であり、従って、内栓キャップ１０を任意の位置で装着することができると共に、回転しただけでは離脱できないから子供等が不用意にあけるのを防止できる。
【００３２】
また、開口首部材１の嵌合溝部３を、部分的に設ける場合には、内栓キャップ１０の嵌合突起部１４もそれに合わせて部分的に設けることとなる。この場合は、内栓キャップ１０を回転しないようにするか、或いは、回転したときに嵌合溝部３から嵌合突起部１４が離脱しないように構成することが好ましい。従って、開口首部材１の外周横断面が楕円形や多角形の場合に、嵌合溝３や嵌合突起部１４を部分的に設けるのに適している。
【００３３】
次に、外キャップ２０の中間スカート部の外周には円周状に滑り止め突起２５が一重又は多重に設けてあり、外キャップ２０を把持して装着及び離脱し易く構成してあるが、実施例１では、スカート端部２６を外側に張り出して形成してあり、このスカート端部２６を把持して外キャップ２０を引っ張ることにより容易に離脱することができるように構成してある。
【実施例２】
【００３４】
図５乃至図８に記載の実施例２は、実施例１と同様に、先端部に開口部２を有すると共に後端部に嵌合溝部３を有する開口首部材１に対して、前記開口部２の内筒部５と外筒部６に二重に嵌合する内栓部１１，１２と、前記開口部２と嵌合溝部３との中間外周部４を図７又は図８に記載の如く隙間Ｃを介して覆う中間スカート部１３と、該中間スカート部１３の末端部に連続して前記嵌合溝部３に嵌合するように設けた嵌合突起部１４と、前記中間スカート部１３の外周に設けたスライド溝部１５と、嵌合突起部１４の外周に設けた押当部１６と、内栓部１１から上方に突出して先端部位置Ｄにストッパ段部１７を有する首長栓部１９とからなる内栓キャップ１０を設けると共に、内栓キャップ１０の中間スカート部１３の外周を覆う、前記首長栓部１９に嵌合して案内され先端部位置Ｄと後端部位置Ｅの間をスライドするスライダ部３１と、先端部位置Ｄでスライダ溝部１５の後端部位置Ｂに嵌合すると共にスライダ部３１の後端部位置Ｅで前記押当部１６の外周に当接する押さえ突起部３２とからなる外キャップ３０を設けてなる構成を有する。
【００３５】
この実施例２の場合、内栓キャップ１０のスライダ溝部１５は後端部位置Ｂと嵌合突起部１４との間に、実施例１と同様の構成、作用、効果を有する乗り越え部１８を具備するが、実施例１における先端部位置Ａ側にはストッパ段部１７に相当する突出部を具備せず、代わりに、首長栓部１９の先端部位置Ｄに実施例１と同様にスライダ部３１を係止するストッパ段部１７を有することとなる。
【００３６】
また、前記嵌合突起部１４には、実施例１と同様の構成と作用、効果を有する弾性変形用の割り溝部を設けてあり、割り溝部に代えて嵌合突起部１４の素材に拡張及び収縮する柔軟な弾性変形性を持たせて、開口首部材１の中間外周部４に当接して外側に撓むように構成することも勿論可能である。
【００３７】
このことにより、実施例２に記載の装置本体４０は、実施例１に記載したと同様の作用・効果を発揮すると共に、首長栓部１９によってスライダ部３１を離脱を阻止して案内し、内栓キャップ１０と外キャップ３０との一体性を図ることができる効果がある。
【００３８】
また、実施例２の本発明着脱自在キャップ装置は、外キャップ３０の肩部から首長栓部１９とほぼ同じ高さの外側に広がる着脱操作部３７を設けてあり、着脱操作部３７によって外キャップ３０の着脱操作を確実にすると共に首長栓部１９を持って誤操作するのを防止し保護することができる。なお、外キャップ３０のスカート端部３６は実施例１とは異なり外方に拡張していない。
【００３９】
着脱操作部３７は、実施例２ではラッパ状に外キャップ３０の肩部の全周に渡って設けてあるが、その一部に突設したものでもよい。
【００４０】
その他、図８に記載の如く、外キャップ３０のスライダ部３１が首長栓部１９の後端部位置Ｅに当接し押さえ突起部３２が押当部１６に当接する状態で、押さえ突起部３２の上側の凹溝部３４がスライダ溝部１５の後端部位置Ｂと押当部１６との間の乗り越え部１８に密着するように構成してあり、内栓キャップ１０に外キャップ２０が確実に嵌着しその嵌着状態を確実に維持するように構成してある。３５は実施例１と同様の滑り止め突起である。
【実施例３】
【００４１】
図９乃至図１１に記載の実施例３は、実施例１における内栓キャップ１０の一実施例であり、嵌合突起部１４は、中間スカート部１３からスカート端部にかけて正面及び背面に割り溝部Ｆで区画された弾性スカート部Ｇの内筒部分に設けてある。弾性スカート部Ｇの外筒部分には乗り越え部１８と押当部１６が設けてある。弾性スカート部Ｇの両側のスカート部Ｈの内筒部分には嵌合突起部１４は設けてなく、文字通りの筒状をなしている。しかし、その外筒部分には乗り越え部１８ａと押当部１６ａが設けてある。
【００４２】
押当部１６と押当部１６ａの高さと位置は全く同様に設けてあるが、乗り越え部１８は乗り越え部１８ａと高さと突出形状において同様であるが縦方向の幅が割り溝部Ｆに沿って同一高さで長く設けてある。
【００４３】
また、ストッパ段部１７には、円筒状に延長段部１７ｃが設けてある。
【００４４】
上記の内栓キャップ１０によれば、装着時に弾性スカート部Ｇの嵌合突起部１４が開口首部材１の中間外周部４に当接して外方に撓んで、外キャップ２０の押さえ突起部２２が乗り越え部１８の手前のスライド溝部１５の後端部位置Ｂに係止されて装着され、嵌合溝部３に嵌合突起部１４が嵌合すると、押さえ突起部２２が乗り越え部１８を乗り越えて押当部１６に当接する。同時に、スカート部Ｈ部分の外筒部分は外方に撓むことがないから、外キャップ２０の押さえ突起部２２はスライド溝部１５と同じ状態の中間スカート部１３の外周に沿って移動し、そのまま円滑に乗り越え部１８ａを乗り越えて押当部１６ａに当接して装着が完了する。
【実施例４】
【００４５】
図１２乃至図１４に記載の実施例４は、実施例２における内栓キャップ１０の一実施例であり、ストッパ段部１７、首長栓部１９、内栓部１１，１２、先端部位置Ｄ、後端部位置Ｅの構成、作用、効果は実施例２と同様であり、嵌合突起部１４、割り溝部Ｆ、弾性スカート部Ｇ、スカート部Ｈ、乗り越え部１８、１８ａ、押当部１６、１６ａの構成、作用、効果は前述の実施例３と同様である。
【図面の簡単な説明】
【００４６】
【図１】本発明装置の一実施例の一使用態様の縦断面図。
【図２】その実施例の他の使用態様を示す縦断面図。
【図３】その実施例の他の使用態様を示す縦断面図。
【図４】その実施例の他の使用態様を示す縦断面図。
【図５】本発明装置の他の実施例の一使用態様の縦断面図。
【図６】その実施例の他の使用態様を示す縦断面図。
【図７】その実施例の他の使用態様を示す縦断面図。
【図８】その実施例の他の使用態様を示す縦断面図。
【図９】図１乃至図４の実施例の要部の正面図。
【図１０】その要部の平面図。
【図１１】その要部の底面図。
【図１２】図５乃至図８の実施例の要部の正面図。
【図１３】その要部の平面図。
【図１４】その要部の底面図。
【符号の説明】
【００４７】
１      開口首部材
２      開口部
３      嵌合溝部
４      中間外周部
１０    内栓キャップ
１１    内栓部
１２    内栓部
１３    中間スカート部
１４    嵌合突起部
１５    スライド溝部
１６    押当部
１７    ストッパ段部
１８    乗り越え部
１９    首長栓部
２０    外キャップ
２１    スライダ部
２２    押さえ突起部
２３    天板部
２４    凹溝部
２５    滑り止め突起
２６    スカート端部
３０    外キャップ
３１    スライダ部
３２    押さえ突起部
３３    肩部
３４    凹溝部
３５    滑り止め突起
３６    スカート端部
３７    着脱操作部
４０    装置本体
Ａ      先端部位置
Ｂ      後端部位置
Ｃ      隙間
Ｄ      先端部位置
Ｅ      後端部位置
Ｆ      割り溝部
Ｇ      弾性スカート部
Ｈ      スカート部
【図１】
2010095259.tif 000003
【図２】
2010095259.tif 000004
【図３】
2010095259.tif 000005
【図４】
2010095259.tif 000006
【図５】
2010095259.tif 000007
【図６】
2010095259.tif 000008
【図７】
2010095259.tif 000009
【図８】
2010095259.tif 000010
【図９】
2010095259.tif 000011
【図１０】
2010095259.tif 000012
【図１１】
2010095259.tif 000013
【図１２】
2010095259.tif 000014
【図１３】
2010095259.tif 000015
【図１４】
2010095259.tif 000016